(57)【要約】      （修正有）【課題】プリセット方式のテレビ、ラジオ等の選局に対し、現在選局されている局がわかりにくいとか、選局のときにアップ／ダウンキーを複数回押さなくてはならないというような課題がある。【解決手段】筐体２の表面には、直線溝５が縦、横に複数本構成されている。これら溝の交差部３には、それぞれ、検出体１を合体するための球体の一部とほぼ同じ曲率の凹面４が構成されている。さらに、この交差部３には検出体の存在を認識するためのセンサーが敷設されている。これらの交差部３には、あらかじめプリセットされた放送局が設定されている。所望の放送局を選局したい場合、所望の放送局がプリセットされた交差部３に検出体１を合体することにより、所望の放送局の選局が可能になる。【選択図】図１
2005311996.tif 000002
【特許請求の範囲】
【請求項１】
ａ．複数の直線又は曲線と、
ｂ．これらの直線又は曲線が交わることにより形成される複数の交差部と、
ｃ．これらの交差部と合体可能な検出体とを有し、
交差部の１つに検出体を合体させたときに、各交差部に対応づけたチャンネルへの選局動作が行われることを特徴とするラジオ、ＴＶ等の選局装置。
【請求項２】
検出体が球体であり、交差部が球状の凹面として形成されていることを特徴とする第１項の装置。
【請求項３】
検出体が多面体であり、交差部が多面体状の凹面として形成されていることを特徴とする第１項の装置。
【請求項４】
検出体が磁性を有し、交差部は検出体の磁性と吸引しあう磁性を有することを特徴とする第１項の装置。
【請求項５】
溝は直線又は曲線であることを特徴とする第１項の装置。
【請求項６】
筐体の一部に、検出体収納部を設けたことを特徴とする第１項の装置。
【請求項７】
ラジオ、ＴＶ等の機能が停止しているとき、前記交差部は時計機能の設定情報を持ち、前記検出体を交差部に合体することによりタイマー、アラーム等の設定を行うことを特徴とする第１項の装置
【請求項８】
交差部に検出体が合体されているときのみ、ラジオ、ＴＶ等の電源がＯＮになることを特徴とする第１項の装置。
【請求項９】
交差部が複数の群として構成され、各群に特定のジャンル等が割り付けられていることを特徴とする第１項の装置。
【請求項１０】
検出体と交差部の合体がナビゲーションの行き先指定動作を起動することを特徴とする第１項の装置。
【発明の詳細な説明】
【技術分野】
【０００１】  複数の情報発信源があるメディアの選局に対し、選局した結果がビジュアルであり、かつ離れたチャンネル間の選局を容易にする技術に関する。
【背景技術】
【０００２】
【特許文献１】特開平５−９０９０７号公報  選局方法
従来ブリセット方式のラジオ、テレビ等の選局方法は、特開平５−９０９０７に示すようにテンキーもしくは、チャネルに対応した押しボタンスイッチがあり、これらのボタンを押すことにより、所望のチャンネルを選択するという選局方式が一般的である。この場合押されたキーに対応する局がどこの局かを認識するには、ディスプレー等の表示により確認しなくてはならない。【０００３】
【特許文献２】特開平８−１８６４７２号公報  周波数シンセサイザー選局システム特開平８−１８６４７２に示すように、キーの数を少なくするために、アップとダウンの押しボタンスイッチを持ち、複数回押すことにより所望のチャンネルを選局するという方法が取られている。この場合は、キーの数は少なくすることができるが、離れた局を選局するには、何度もアップとダウンスイッチを押さなければならないという欠点がある。又、キーの状態からは現在選局されている局を認識できず、ディスプレー等の表示により確認しなくてはならない。
【発明の開示】
【発明が解決しようとする課題】
【０００４】本発明はプリセット方式のテレビ、ラジオ等の選局に対し、現在選局されている局がわかりにくいとか、選局方法がアップ／ダウンキーを複数回押さなくてはならないというような課題を解決するものである。
【課題を解決するための手段】
【０００５】平面上に構成された複数の交差部３の下部にセンサーを設置することにより、検出体１を所望の局がプリセットされている位置に合体するとセンサーが感応し、その情報を処理することにより所望の局が選定される。
【発明の効果】
【０００６】選局状態は、検出体１の合体位置により判断できるので視覚的に明確であり、認識が容易である。【０００７】選局状態は物理的に明確であり、視覚障害者でも選局状態を認識することができる。【０００８】順送りあるいは逆送り等の操作を繰り返す必要がないので所望の局の選択が迅速にできる。【０００９】交差部３の各群にジャンル（音楽、スポーツ、ニュース…）を割り付けることにより選局の配列をカテゴリー分けすることが可能になり所望の局の選局が容易になる。
【発明を実施するための最良の形態】
【００１０】本発明を実施するにあたり最良の形態は、磁気を利用したセンサーを利用するために検出体１として磁性体であるスチールボール２２を用いることである。又、製品の応用として、アラーム時計付ＡＭ／ＦＭラジオに応用することである。
【実施例】
【００１１】第１図は本発明の実施例であり、スチールボール２２で構成した検出体１を交差部３の位置に合体することにより所望の局を選局することができるアラーム時計付ＡＭ／ＦＭラジオの斜視図である。【００１２】筐体２の表面には、直線溝５が縦に５ａ、５ｂ、５ｃの３本、横に５ｄ、５ｅ、５ｆの３本構成されている。これらの溝によって作られる９個の交差部３には、それぞれ、検出体１を合体するための球体の一部とほぼ同じ曲率の凹面４が構成されている。
これらの交差部３の位置には、あらかじめプリセットされた放送局が設定されている。実施例で溝は直線で構成されているが曲線でもよい。溝は視角により見にくいということがないのが利点であるが、溝ではなくて印刷等による直線、曲線でもよい。【００１３】放送局のプリセットは、ラジオのＯＮ／ＯＦＦスイッチ８を押しラジオＯＮ状態で、ＳＥＴＭＥＭＯＲＹスイッチ１１を押すことにより、自動的にセットされる。【００１４】ＯＮ／ＯＦＦスイッチ８をＯＮにした状態で、検出体１を９箇所ある交差部３のいずれかに合体すると、あらかじめ設定されている局を選局することができる。【００１５】第２図はスチールボール２２を検出体１としたときの、位置認識のためのスイッチ構造断面図である。【００１６】交差部２０は検出体１が合体されていない場合、交差部２１は検出体１が合体されている場合を示している。交差部２０には、筐体２の上面材２２に構成されたの凹面の下部にスイッチ固定接点２５ａおよび可動接点２６ａが配置されている。可動接点部は可動接点２６ａ、バネ材２４ａとマグネット２３ａから構成されている。
検出体１が合体されていない場合は固定接点２５ａ、可動接点２６ａ、バネ材２４ａで構成されるスイッチはＯＦＦの状態である。一方、交差部２１の場合には磁性材料であるスチールボールの検出体１が合体されているため、マグネット２３ｂが磁性材料に吸着しようとする力が働き、固定接点２５ｂと可動接点２６ｂが接触し固定接点２５ｂ、可動接点２６ｂ、バネ材２４ｂから構成されるスイッチはＯＮ状態になる。【００１７】第３図は多面体の例としてスチールの立方体２７により検出体１を構成したスイッチ構造断面図である。スイッチ構造の原理は、前述の第２図と同じである。交差部２８に、検出体１として、スチール立方体２７が合体されると、マグネット２３ｃがスチールに吸着しようとする力が働き、接点が接触しスイッチはＯＮ状態になる。【００１８】実施例では、マグネットを使用したスイッチを用いているために、スチール製の検出体１を用いているが、他の方式のスイッチ構造でもよい。圧力センサータイプのスイッチ構造であるなら、重量さえあれば材質、形状は特に限定されない。
又、カーナビのように本体が揺れ動くような製品への応用はパッチボードのように穴に検出体１を押し込むタイプのスイッチ構造を用いることも可能である。【００１９】第４図は、検出体１を収納するための収納部構造図である。検出体１は、この装置の電源がＯＦＦしているときは、不要であり移動の時などは紛失しやすい。これを避けるために、本体の一部に検出体収納部３１を設けている。
検出体収納部３１は回転軸３０を中心として廻る回転構造になっており、通常は本体の筐体の中に納まっている。【００２０】第５図は実施例に示す装置のブロック図である。
本装置の回路構成は、制御部４１、ラジオ部４２、時計部４３で構成されている。
筐体２の上部に形成された入力部４０上において、複数ある溝交差部３の一つに検出体１が合体されると、その下に配置されているスイッチが閉じて、その信号が制御部１に入力される。【００２１】その信号は、ポジション認識部４４に入力され交差部位置を出力する。ポジション変更指令発生部４５は、合体位置が変更されたことと、新たな合体位置をポジション情報処理部に出力する。【００２２】この信号は、ポジション情報処理部４６に入力され、あらかじめプリセットされた交差部位置に対応した放送局情報に変換される。この情報は、表示制御部４７に伝えられるとともに、チューナ制御部４８に入力される。
放送局情報のプリセットは、ラジオの電源がＯＮの状態でＳＥＴ  ＭＥＭＯＲＹスイッチ１１を押すことにより、オートスキャンが開始され、全可聴周波数帯の周波数がスキャンされ、電波強度の強い放送局の周波数が、自動的に交差部３に割り振られる。
ＡＭ／ＦＭ切り替スイッチ７を押すことにより、ＡＭとＦＭが切り替わる。オートスキャンはあらかじめＡＭとＦＭの両者で行っておく。【００２３】ＡＭ／ＦＭ切り替スイッチ７により、ラジオ部４２はＡＭチューナ、ＦＭチューナに切り替わる。放送局から発信された電波はアンテナ４９から入力され、チューナ５０に入力される。このとき、チューナ制御部４８からの情報により、入力部４０の検出体１の置かれている場所に相当する放送局の周波数が選局される。選局された信号は、中間周波数に変換され、増幅器５１により増幅される。この信号は検波部５２により、オーディオ信号に変換される。オーディオ信号は、増幅部５３にてＶＯＬスイッチ１３のアップ、ダウンの指示に従い、適切な信号レベルに増幅されスピーカ５４に出力される。【００２４】ラジオの動作に関しては、検出体１が交差部３に存在しないときは、ラジオの電源はＯＦＦになるが、もし、検出体１が紛失したときなどは、動作できなくなってしまうという欠点があるので、これを解決するために、ＳＥＡＲＣＨスイッチ１２がある。ＳＥＡＲＣＨスイッチ１２のアップ、ダウンスイッチを押すことにより、検出体１がなくとも、ラジオ動作が可能で、選局も可能となる。【００２５】この実施例では、アラーム時計機能も付属されており、ＳＥＴ  ＭＥＭＯＲＹスイッチ１１により、時刻あわせと、アラームセットが可能になり、ＡＬ／ＳＮＯＯＺＥスイッチ９によりアラーム５５の音の停止が可能になる。又ラジオの電源がＯＦＦの時には、表示部６は時計情報が表示される。又、表示部にはバックライト５６が配置されており、ライトスイッチ１０を押すことにより、バックライト５６が点灯する。【００２６】ラジオ機能がＯＦＦのときは時計機能のコントロールに入力部は利用される。よく使う複数の時刻に対するアラームセット、１分とか１０分とかよく使うタイマーセットをしておくと、これらの機能を容易に設定し、この機能を利用することができる。
【産業上の利用可能性】
【００２７】本発明の実施例は、ラジオの選局に応用した例を示しているが、テレビの選局装置としても応用が可能である。【００２８】また、有線テレビのように非常にチャンネル数の多いメディアの選局に応用する場合、音楽、ニュース、スポーツというような放送ジャンルを横ラインとか縦ラインのように複数群として、登録することが可能である。同じジャンルのメディアが近くに並んでいることにより、目的のメディア選択が非常に早くなり、しかも、検出体１の位置により今どのメディアを選択しているかの認識が容易になる。【００２９】本発明をカーナビに応用することにより、目的地の指定をすることが容易になる。カーナビの目的地は、いろいろなジャンル分けすることにより、設定が容易になるが、本発明のように、一つのジャンルの目的地を一つのライン上に配列するとが、一つの曲線状に配列するなどという設定により、設定が容易になる。【００３０】この実施例では、入力部がラジオと一体になっているが、この入力機能をリモコン（リモートコントロール）の操作面に応用することが可能である。
【図面の簡単な説明】
【００３１】
【図１】スチールボールの位置により選局するアラーム時計付ＡＭ／ＦＭラジオの斜視図。
【図２】スチールボールを検出体とするときの、位置認識のためのスイッチ構造断面図。
【図３】スチール立方体を検出体とするときの、位置認識のためのスイッチ構造断面図。
【図４】検出体収納構造図。
【図５】実施例に示す装置のブロック図。
【符号の説明】
【００３２】１．  検出体
２．  筐体
３．  交差部
４．  凹面
５．  溝
６．  表示部
７．  ＡＭ／ＦＭ切り替スイッチ
２２．スチールボール
２３．磁石
２７．スチール立方体
３１．検出体収納部
【図１】
2005311996.tif 000003
【図２】
2005311996.tif 000004
【図３】
2005311996.tif 000005
【図４】
2005311996.tif 000006
【図５】
2005311996.tif 000007